【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
式Ｉ
【化１】
2008544053.tif 000001
[式中、
+Y1=は以下の構造：
【化２】
2008544053.tif 000002
の１つにより表示され、
Y2−は以下の構造：
【化３】
2008544053.tif 000003
の１つにより表示され、
ｎは０、１、２または３であり、
ｐおよびｑの各々は０、１または２であり、
Ｒ1およびＲ2は独立して場合により置換されていてもよい炭化水素基であり、或いは該Ｒ1、Ｒ2、ＲdまたはＲa基の２つは一緒になって環式構造を形成するのに必要な原子を含んでなり、
Ｒd基の少なくとも１つは
【化４】
2008544053.tif 000004
よりなるリストから選択され、
ここで
ａ、ｂ、ｃおよびｄは独立して０または１であり、
Ｒ17は水素原子、場合により置換されていてもよい脂肪族炭化水素基または場合により置換されていてもよい（ヘテロ）アリール基であり、或いはＲ17およびＲ5、Ｒ17およびＲ11は一緒になって環式構造を形成するのに必要な原子を含んでなり、
Ｒ4は−ＯＲ10、−ＮＲ13Ｒ14または−ＣＦ3であり、
ここでＲ10は場合により置換されていてもよい（ヘテロ）アリール基または場合により分枝鎖状であってもよい脂肪族炭化水素基であり、
Ｒ13およびＲ14は独立して水素原子、場合により置換されていてもよい脂肪族炭化水素基または場合により置換されていてもよい（ヘテロ）アリール基であり、或いはＲ13およびＲ14は一緒になって環式構造を形成するのに必要な原子を含んでなり、
Ｒ6は場合により置換されていてもよい脂肪族炭化水素基または場合により置換されていてもよい（ヘテロ）アリール基、−ＯＲ10、−ＮＲ13Ｒ14または−ＣＦ3であり、
Ｒ5は水素原子、場合により置換されていてもよい脂肪族炭化水素基、ＳＯ3-基、−ＣＯＯＲ18基または場合により置換されていてもよい（ヘテロ）アリール基であり、或いはＲ5はＲ10、Ｒ13およびＲ14の少なくとも１つと一緒になって環式構造を形成するのに必要な原子を含んでなり、
Ｒ11、Ｒ15およびＲ16は独立して水素原子、場合により置換されていてもよい脂肪族炭化水素基または場合により置換されていてもよい（ヘテロ）アリール基であり、或いはＲ15およびＲ16は一緒になって環式構造を形成するのに必要な原子を含んでなり、
Ｒ12は場合により置換されていてもよい脂肪族炭化水素基または場合により置換されていてもよい（ヘテロ）アリール基であり、
Ｒ7およびＲ9は独立して水素原子または場合により置換されていてもよい脂肪族炭化水素基であり、
Ｒ8は−ＣＯＯ-または−ＣＯＯＲ8'であり、ここでＲ8'は水素原子、アルカリ金属カチオン、アンモニウムイオンまたはモノ−、ジ−、トリ−もしくはテトラ−アルキルアンモニウムイオンであり、
Ｒ18は場合により置換されていてもよい（ヘテロ）アリール基またはアルファ−分枝鎖状の脂肪族炭化水素基である
ことにより特徴づけられ、
そしてここでＲaおよび他のＲd基は独立して水素原子、ハロゲン原子、−Ｒe、−ＯＲf、−ＳＲgおよび−ＮＲuＲvよりなるリストから選択される基により表示され、ここでＲe、Ｒf、Ｒg、ＲuおよびＲvは独立して場合により置換されていてもよい脂肪族炭化水素基または場合により置換されていてもよい（ヘテロ）アリール基であり、
電気的に中性である分子を得るための１つもしくはそれ以上の対イオンを含む]
に従う赤外吸収染料。
【請求項２】
該ＩＲ染料が式ＩＩ、ＩＩＩまたはＩＶ；
【化５】
2008544053.tif 000005
[式中、
Ａｒ1、Ａｒ2およびＡｒ3は独立して場合により置換されていてもよい芳香族炭化水素基または場合により置換されていてもよい縮合ベンゼン環を有する芳香族炭化水素基であり、
Ｗ1およびＷ2は独立して硫黄原子または−ＣＭ10Ｍ11基であり、ここでＭ10およびＭ11は独立して場合により置換されていてもよい脂肪族炭化水素基または場合により置換されていてもよい（ヘテロ）アリール基であり、或いはＭ10およびＭ11は一緒になって環式構造を形成するのに必要な原子を含んでなり、
Ｍ1およびＭ2は独立して水素原子、場合により置換されていてもよい脂肪族炭化水素基であり、或いはＭ1およびＭ2は一緒になって場合により置換されていてもよい環式構造を形成するのに必要な原子を含んでなり、
Ｍ3およびＭ4は独立して場合により置換されていてもよい脂肪族炭化水素基であり、
Ｍ5、Ｍ6、Ｍ7、Ｍ8、Ｍ16およびＭ17は独立して水素原子、ハロゲン原子または場合により置換されていてもよい脂肪族炭化水素基であり、
Ｗ3は硫黄原子または−Ｃ（Ａ3）＝Ｃ（Ａ4）−基であり、
Ｍ12およびＭ13は独立して場合により置換されていてもよい脂肪族炭化水素基または場合により置換されていてもよい（ヘテロ）アリール基であり、或いは該Ｍ12、Ｍ13、Ａ2またはＡ4の２つは一緒になって少なくとも１つの環式構造を形成するのに必要な原子を含んでなり、
Ｗ4は硫黄原子または−Ｃ（Ａ7）＝Ｃ（Ａ8）−基であり、
Ａ1〜Ａ8は独立して水素原子、ハロゲン原子、場合により置換されていてもよい脂肪族炭化水素基または場合により置換されていてもよい（ヘテロ）アリール基であり、或いはＡ1およびＡ2、Ａ3およびＡ4、Ａ5およびＡ6、または、Ａ7およびＡ8の各々は一緒になって環式構造を形成するのに必要な原子を含んでなり、
Ｍ14およびＭ15は独立して場合により置換されていてもよい脂肪族炭化水素基または場合により置換されていてもよい（ヘテロ）アリール基であり、或いは該Ｍ14、Ｍ15、Ａ5またはＡ7の２つは一緒になって少なくとも１つの環式構造を形成するのに必要な原子を含んでなり、そして
Ｍ9は
【化６】
2008544053.tif 000006
よりなるリストから選択されるＲd基であり、
ここでａ、ｂ、ｃ、ｄ、Ｒ17、Ｒ5、Ｒ4、Ｒ6、Ｒ11、Ｒ12、Ｒ15、Ｒ16、Ｒ7、Ｒ8、Ｒ9およびＲ18の意味は請求項１で定義したものと同じであり、
電気的に中性である分子を得るための１つもしくはそれ以上の対イオンを含む]
の構造を有する請求項１に記載のＩＲ染料。
【請求項３】
式ＩＩ、ＩＩＩまたはＩＶの該ＩＲ染料が、−ＣＯ2Ｈ、−ＣＯＮＨＳＯ2Ｒh、−ＳＯ2ＮＨＣＯＲi、−ＳＯ2ＮＨＳＯ2Ｒj、−ＰＯ3Ｈ2、−ＯＰＯ3Ｈ2、−ＯＳＯ3Ｈ、−ＳＯ3Ｈもしくは−Ｓ−ＳＯ3Ｈ基よりなるリストから選択される少なくとも１つのアニオン性基もしくは酸基またはそれらの対応する塩を有し、ここでＲh、ＲiおよびＲjは独立してアリールまたはアルキル基である請求項２に記載のＩＲ染料。
【請求項４】
該ＩＲ染料のＭ3、Ｍ4またはＭ12〜Ｍ15の脂肪族炭化水素基の各々が該アニオン基または酸基の少なくとも１つで末端置換されている請求項３に記載のＩＲ染料。
【請求項５】
該ＩＲ染料が式Ｖ−ａ、Ｖ−ｂ、Ｖ−ｃまたはＶ−ｄ
【化７】
2008544053.tif 000007
[式中、
Ｍ+＝Ｌｉ+、Ｎａ+、Ｋ+、ＮＨ4+、Ｒ'Ｒ''Ｒ'''ＮＨ+であり、ここでＲ'、Ｒ''、Ｒ'''は独立してＨ原子、場合により置換されていてもよいアルキルまたはアリール基であり、
Ｘ＝ハロゲン、スルホネート、ペルフルオロスルホネートまたはアリールスルホネートであり、
Ｒ3およびＲ3'はメチルまたはエチルである]
に従う構造を有する請求項１に記載のＩＲ染料。